(57)【要約】      （修正有）【課題】ダイバーシティ動作によるアンテナ切り替えを行った際、表示画面上でのノイズの発生を目立たなくする。【解決手段】アンテナセレクタ２０２により複数のアンテナ２０１のうち良好な受信状態のアンテナ２０１を選択したとき、チューナ２０３のＡＧＣ回路２０３ａが有するＡＧＣ特性によりビデオ信号Ｖout に白ノイズが生じ表示画面に表示される。切替制御部２０６は、ＡＧＣ回路２０３ａの出力レベル差等に基づいて輝度変更部２０４に対し輝度変更制御を行い、白ノイズの発生期間だけこの白ノイズ発生領域の輝度を低減させ目立たなくする。【選択図】図２
2005236816.tif 000002
【特許請求の範囲】
【請求項１】
伝送信号を受信する複数のアンテナと、
複数の前記アンテナを選択するアンテナ選択手段と、
前記アンテナ選択手段により選択された前記アンテナによって受信した前記伝送信号を復調し、表示信号を出力するチューナと、
前記チューナにより出力される表示信号の輝度を、輝度変更の制御要求時に該当する表示領域に対して変更する輝度変更手段と、
前記アンテナ選択手段に対して前記アンテナ選択を制御すると共に、該アンテナ選択時に前記輝度変更手段に対して前記輝度変更の制御要求を出力する切替制御手段と、
を備えたことを特徴とするテレビ受信機。
【請求項２】
前記チューナは、受信した前記伝送信号の利得を可変して該伝送信号の出力レベルを一定にするＡＧＣ手段を備え、
前記切替制御手段は、前記アンテナ選択時に前記ＡＧＣ手段が前記表示信号に与えるノイズの発生要因を検出し、前記輝度変更手段に対して前記輝度変更の制御要求を出力することを特徴とする請求項１に記載のテレビ受信機。
【請求項３】
前記チューナは、前記伝送信号の受信レベルの変動を前記切替制御手段に出力し、
前記切替制御手段は、前記アンテナ選択時における前記受信レベルの変動差に基づいて前記輝度変更の制御要求を出力することを特徴とする請求項１または２に記載のテレビ受信機。
【請求項４】
前記ＡＧＣ手段は、該ＡＧＣ手段に対する前記伝送信号の入力レベルの変動を前記切替制御手段に出力し、
前記切替制御手段は、前記アンテナ選択時における前記入力レベルの変動差に基づいて前記輝度変更の制御要求を出力することを特徴とする請求項２に記載のテレビ受信機。
【請求項５】
前記ＡＧＣ手段は、該ＡＧＣ手段が出力する前記伝送信号の出力レベルの変動を前記切替制御手段に出力し、
前記切替制御手段は、前記アンテナ選択時における前記出力レベルの変動差に基づいて前記輝度変更の制御要求を出力することを特徴とする請求項２に記載のテレビ受信機。
【請求項６】
前記ＡＧＣ手段は、該ＡＧＣ手段により前記伝送信号の出力レベルを一定にする際のＡＧＣ制御信号のレベルを前記切替制御手段に出力し、
前記切替制御手段は、前記アンテナ選択時における前記ＡＧＣ制御信号のレベル変動状態に基づいて前記輝度変更の制御要求を出力することを特徴とする請求項２に記載のテレビ受信機。
【請求項７】
前記切替制御手段は、前記ＡＧＣ制御信号のレベル変動状態が、予め定めた閾値を超えたとき、前記輝度変更の制御要求を出力することを特徴とする請求項６に記載のテレビ受信機。
【請求項８】
前記切替制御手段は、前記アンテナ選択後に前記各レベル変動が安定するまでの期間、前記輝度変更を制御要求することを特徴とする請求項２〜７のいずれか一つに記載のテレビ受信機。
【請求項９】
前記チューナが出力する前記表示信号の同期状態を検出する同期検出手段を備え、
前記切替制御手段は、前記同期検出手段が前記同期状態を検出できない期間、前記輝度変更を制御要求することを特徴とする請求項１に記載のテレビ受信機。
【請求項１０】
伝送信号を受信した複数の前記アンテナを選択するアンテナ選択工程と、
前記アンテナ選択工程により選択された前記アンテナによって受信した前記伝送信号を復調し、表示信号を出力する表示信号出力工程と、
前記表示信号出力工程により表示出力される表示信号の輝度を、輝度変更の制御要求時に該当する表示領域に対して変更する輝度変更工程と、
前記アンテナ選択工程における前記アンテナ選択を制御すると共に、該アンテナ選択時に前記輝度変更工程における前記輝度変更を制御要求する切替制御工程と、
を備えたことを特徴とするダイバーシティ受信方法。
【請求項１１】
前記表示信号出力工程は、受信した前記伝送信号の利得を可変して該伝送信号の出力レベルを一定にするＡＧＣ工程を含み、
前記切替制御工程は、前記アンテナ選択時に前記ＡＧＣ工程の実行が前記表示信号に与えるノイズの発生要因を検出し、前記輝度変更工程による前記輝度変更を制御要求することを特徴とする請求項１０に記載のダイバーシティ受信方法。
【発明の詳細な説明】
【技術分野】
【０００１】
この発明は、主としてテレビ受信機およびダイバーシティ受信方法に関する。ただし、この発明の利用は前述のテレビ受信機およびダイバーシティ受信方法には限らない。
【背景技術】
【０００２】
従来、テレビ受信機におけるダイバーシティ受信は、受信電波を安定して受信するための方法として用いられている。図１は、従来技術のテレビ受信機を示すブロック図である。ダイバーシティ受信を行うために２本以上の複数のアンテナ１００（図示の例では４本のアンテナ１００ａ〜１００ｄ）と、複数のアンテナ１００のうち受信状態が良好なアンテナ１００を選択するアンテナセレクタ１０１と、アンテナセレクタ１０１により選択されたアンテナ１００から受信した受信信号（ＲＦ信号）をビデオ信号に変換して出力するチューナ１０２と、信号の同期を検出する同期分離部１０３と、受信信号の受信状態に基づいてアンテナセレクタ１０１によるアンテナの切り替えを制御する切替制御部１０４とによって構成されている。
【０００３】
このテレビ受信機におけるダイバーシティ動作は、切替制御部１０４が実行制御し、同期分離部１０３による垂直同期の検出に基づいて、映像が表示されない期間、すなわち垂直同期帰線期間内に受信状態が良好ないずれかのアンテナ１００に切り替えるよう構成されている。
【０００４】
【特許文献１】特開２００２−３３６８８号公報
【発明の開示】
【発明が解決しようとする課題】
【０００５】
しかしながら、上記従来の構成では、弱電界等により同期状態を判別することができない状況などが発生すると、映像の表示期間内にアンテナ切り替え動作が行われ、表示画面上に白い横筋のノイズが現れるという問題が一例として挙げられる。また、チューナ１０２は利得を一定にするＡＧＣ回路（不図示）を有しているが、アンテナ１００の切り替え時にＡＧＣ回路による利得制御動作を開始しても、受信レベルの変動が大きいときには垂直同期帰線期間内にＡＧＣ出力が安定せず、表示画面の上部等一部の領域に白いノイズとして現れるという問題が一例として挙げられる。
【０００６】
このようなダイバーシティ受信を行うテレビ受信機において、アンテナ切り替え時に映像上のノイズを低減させる構成として、アンテナを切り替えたときにビデオ信号を平均化するフィルタのフィルタ係数を大きな値にし、フィルタのＳ／Ｎ比を改善して表示中の映像上のノイズを軽減する技術がある（例えば、特許文献１参照。）。この特許文献１記載の技術では、ノイズを軽減できるものの、表示画面全体が一様にぼやけた映像となる、という問題が一例として挙げられる。
【課題を解決するための手段】
【０００７】
請求項１の発明にかかるテレビ受信機は、伝送信号を受信する複数のアンテナと、複数の前記アンテナを選択するアンテナ選択手段と、前記アンテナ選択手段により選択された前記アンテナによって受信した前記伝送信号を復調し、表示信号を出力するチューナと、前記チューナにより出力される表示信号の輝度を、輝度変更の制御要求時に該当する表示領域に対して変更する輝度変更手段と、前記アンテナ選択手段に対して前記アンテナ選択を制御すると共に、該アンテナ選択時に前記輝度変更手段に対して前記輝度変更の制御要求を出力する切替制御手段と、を備えたことを特徴とする。
【０００８】
また、請求項１０の発明にかかるダイバーシティ受信方法は、伝送信号を受信した複数の前記アンテナを選択するアンテナ選択工程と、前記アンテナ選択工程により選択された前記アンテナによって受信した前記伝送信号を復調し、表示信号を出力する表示信号出力工程と、前記表示信号出力工程により表示出力される表示信号の輝度を、輝度変更の制御要求時に該当する表示領域に対して変更する輝度変更工程と、前記アンテナ選択工程における前記アンテナ選択を制御すると共に、該アンテナ選択時に前記輝度変更工程における前記輝度変更を制御要求する切替制御工程と、を含んだことを特徴とする。
【発明を実施するための最良の形態】
【０００９】
以下に添付図面を参照して、この発明にかかるテレビ受信機およびダイバーシティ受信方法の好適な実施の形態を詳細に説明する。
【００１０】
この実施の形態は、ダイバーシティ動作によるアンテナ切り替えを行った際、表示画面上でのノイズの発生を目立たなくすることができることを目的の一つとする。
（実施の形態）
次に、この発明の実施の形態について説明する。図２は、実施の形態におけるテレビ受信機の全体構成を示すブロック図である。以下の説明では、アンテナ切り替えにより１本のアンテナが選択されこの１本のアンテナによって電波を受信する構成例について説明する。
【００１１】
このテレビ受信機２００は、ダイバーシティ受信を行うために２本以上の複数のアンテナ２０１（図示の例では４本のアンテナ２０１ａ〜２０１ｄ）と、アンテナ選択手段としてのアンテナセレクタ２０２と、チューナ２０３と、輝度変更手段としての輝度変更部２０４と、同期分離部２０５と、切替制御手段としての切替制御部２０６とを備えている。
【００１２】
アンテナセレクタ２０２は、切替制御部２０６が出力する制御信号Ｓ１に基づいて複数のアンテナ２０１のうち受信状態が良好なアンテナ２０１を選択する。
【００１３】
チューナ２０３は、アンテナセレクタ２０２により選択されたアンテナ２０１から受信した受信信号（ＲＦ信号）を表示信号としてのビデオ信号Ｖout に変換して出力する。このチューナ２０３は、内部にＡＧＣ（Ａｕｔｏ  Ｇａｉｎ  Ｃｏｎｔｒｏｌ）回路２０３ａを有している。ＡＧＣ回路２０３ａは、入力レベルが変動した際に利得を可変して出力レベルを一定にする機能を有している。このチューナ２０３は、ＲＦ信号の受信レベル、ＡＧＣ回路２０３ａへの入力レベル、出力レベル差、ＡＧＣ制御時の制御信号のオーバーシュート等変化特性、のうち予め設定された状態信号Ｓ３を切替制御部２０６に出力する。
【００１４】
輝度変更部２０４は、アンテナ切り替え時に切替制御部２０６から出力される制御信号Ｓ２に基づいてチューナ２０３が出力するビデオ信号Ｖout のバイアスレベルを変更（クランプされない期間の映像信号のＤＣレベル）して図示しない表示部に出力する。図３は、輝度変更部の一例を示す回路図である。輝度変更部２０４はバイアス制御によってビデオ信号Ｖout の輝度を低減させる。ビデオ信号Ｖout の出力段に設けられたトランジスタＴＲのコレクタ−エミッタ間に流れる電流ｉは、制御信号Ｓ２の印加により接地側に流れる電流量を制御できる。一般的にビデオ信号Ｖout は、７５Ωの一定な特性インピーダンスを有するＲΩ（例えば７５Ω）に設定されている。説明の便宜上、特性インピーダンスに対応して抵抗Ｒ１，Ｒ２がそれぞれＲΩでありあった場合、接地抵抗Ｒ３を適宜の値に設定したとき、制御信号Ｓ２の印加時にはＴＲから接地側に流れる電流ｉを倍増させ、対応してビデオ信号Ｖout の出力電圧を１／２にして輝度を半減させることができる。このとき、ビデオ信号Ｖout の信号にクランプがかからず、白１００％のレベルになってしまったとき、（画面）表示輝度を５０％程度の略灰色に低減する。ビデオ信号Ｖout の輝度を低減させる期間は、制御信号Ｓ２の印加時間ｔに対応して変更できる。また、制御信号Ｓ２の電圧値を変更することにより、対応して低減させる輝度レベルを変更することができる。
【００１５】
同期分離部２０５は、チューナ２０３が出力するビデオ信号Ｖout の同期を検出し、検出した期間中は同期信号Ｓ４を切替制御部２０６に出力する。
【００１６】
切替制御部２０６は、チューナ２０３における受信信号の受信状態を示す状態信号Ｓ３に基づいてアンテナ２０１の切り替えを指示する制御信号Ｓ１をアンテナセレクタ２０２に出力する。また、輝度の変更を指示する制御信号Ｓ２を輝度変更部２０４に出力する。この切替制御部２０６は、同期分離部２０５よる垂直同期が検出されている状態においては、映像が表示されない期間、すなわち垂直同期帰線期間内に受信状態が良好ないずれかのアンテナ２０１に切り替えるよう制御信号Ｓ１を出力する。また、垂直同期が明確に判別できないときなどにおいては、映像期間内にアンテナ切り替えの制御信号Ｓ１を出力することがある。そして、この切替制御部２０６は、アンテナを切り替える制御信号Ｓ１の出力に連動して、制御信号Ｓ２を輝度変更部２０４に出力する。この制御信号Ｓ２の出力期間は、後述するが一定期間、状態信号Ｓ３が示す受信レベル等の変化、同期分離部２０５が出力する同期信号Ｓ４の状態変化、等に応じて変更される。
【００１７】
次に、上記構成によるテレビ受信機の各実施例について説明する。各実施例における処理は、切替制御部２０６が統括制御し、切替制御部２０６の制御によって輝度変更部２０４はビデオ信号Ｖout の輝度を変更する。
【実施例１】
【００１８】
この実施例１は、ＡＧＣ回路２０３ａの出力レベル差に基づいてビデオ信号の輝度を低減させる処理例である。切替制御部２０６には、チューナ２０３が出力する受信電波の受信レベル、およびチューナ２０３に設けられたＡＧＣ回路２０３ａの出力レベルが状態信号Ｓ３として入力される。図４は、実施例１の輝度変更動作を示すフローチャートである。
【００１９】
始めに切替制御部２０６は、チューナ２０３が受信した各アンテナ２０１の受信レベルを検出する（ステップＳ４０１）。そして、アンテナセレクタ２０２が選択している現状のアンテナ２０１の受信レベルに比べて受信レベルが高いアンテナ２０１があるか判断する（ステップＳ４０２）。現状より受信レベルが高いアンテナ２０１があれば（ステップＳ４０２：Ｙｅｓ）、ステップＳ４０３以下の処理を実行し、現状より受信レベルが高いアンテナがなければ（ステップＳ４０２：Ｎｏ）、以下の処理を実行せず終了する。
【００２０】
次に、現状選択しているアンテナ２０１を用いた受信時におけるＡＧＣ回路２０３ａの出力レベルａの値を検出する（ステップＳ４０３）。そして、検出された受信レベルが高い他のアンテナ２０１にアンテナを切り替えるダイバーシティ動作を行う（ステップＳ４０４）。同時に、このアンテナ切り替え時に図示しないタイマを起動させ（ステップＳ４０５）、ＡＧＣ回路２０３ａの出力レベルｂを検出する（ステップＳ４０６）。そして、出力レベル変動分の値Δ（Δ＝ｂ−ａ）を予め設定した規定値ｃと比較する（ステップＳ４０７）。出力レベル変動分の値Δが規定値ｃより大きければ（ステップＳ４０７：Ｙｅｓ）、ＡＧＣ回路２０３ａの出力レベル変動が設定より大きいと判断し、以下の輝度変更の処理を行う。一方、出力レベル変動分の値Δが規定値ｃ以下であれば（ステップＳ４０７：Ｎｏ）、輝度変更の処理を実行せず終了する。
【００２１】
輝度変更の処理は、輝度変更部２０４に対して制御信号Ｓ２を出力し、輝度変更部２０４をバイアス制御し、ビデオ信号Ｖout の輝度を変更し低減させる（ステップＳ４０８）。この際、出力レベル変動分の値Δの大小に対応して制御信号Ｓ２の出力状態を変更してもよい。例えば、出力レベル変動分の値Δが大きいときには、対応して制御信号Ｓ２の電圧値を大きくすることにより、輝度の低減量を増加できる。出力レベル変動分の値Δが小さいときには、対応して制御信号Ｓ２の電圧値を小さくすることにより、輝度の低減量を減少できる。
【００２２】
また、制御信号Ｓ２の印加時間ｔについても出力レベル変動分の値Δの大小に対応して変更することができる（ステップＳ４０９）。具体的には、出力レベル変動分の値Δが大きいときにはタイマ時間を対応して長時間にし、輝度を低減させる期間を長くさせる。出力レベル変動分の値Δが小さいときにはタイマ時間を対応して短時間にし、輝度を低減させる期間を短くさせる。そして、ステップＳ４０９におけるタイマ時間が経過した後、制御信号Ｓ２の出力を停止し、輝度を元に戻す（ステップＳ４１０）。これにより、輝度変更部２０４に対するバイアス制御を停止させ、輝度変更部２０４はビデオ信号Ｖout に対する輝度変更を終了する。これにより、ビデオ信号Ｖout の輝度を元に戻すことができる。
【００２３】
ステップＳ４０８およびステップＳ４０９における輝度の低減量およびタイマ時間の変更は、ＡＧＣ回路２０３ａが有する時定数に基づき設定する。ＡＧＣ回路２０３ａは、ＡＧＣ動作を行って出力レベルを一定値に収束させるまでに回路が有するＲＣの時定数に対応した時間がかかる。この際、出力レベルの変動分の値Δに応じて収束までの時間が異なる。ステップＳ４０８における輝度の低減量と、ステップＳ４０９におけるタイマ時間の変更は、この収束時間に対応して実行するものである。
【００２４】
次に、上記構成による動作内容を各部の信号状態を用いて説明する。図５は、テレビ受信機各部の信号状態を示すタイミングチャートである。図５の横軸は時間である、（ａ）はチューナ２０３に入力されるＲＦ信号、（ｂ）はＡＧＣ回路２０３ａがＡＧＣ制御する際の制御出力（ＡＧＣコントロールレベルＡＧＣ-CTL）、（ｃ）はＡＧＣ回路２０３ａの出力レベル、（ｄ）はビデオ信号Ｖout の出力レベル（縦軸は輝度）を示す図である。
【００２５】
図４のステップＳ４０４によりアンテナ２０１を切り替えたとき（時期Ｔ１）、新たなアンテナに切り替えることによって（ａ）ＲＦ信号の受信レベルが増加する。対応してＡＧＣ回路２０３ａは、（ｂ）ＡＧＣコントロールレベルＡＧＣ-CTLを変化させる。このＡＧＣコントロールレベルＡＧＣ-CTLは、（ａ）ＲＦ信号の受信レベルの変動が大きい程、対応して急峻な変化特性を示す。図示の例は、オーバーシュートしている状態に相当する。これによって、（ｃ）ＡＧＣ回路２０３ａの出力レベルは、（ｂ）ＡＧＣコントロールレベルＡＧＣ-CTLが安定した一定値に収束するまでの期間（ｔ２）は、減少した値を出力する。図４を用いて説明したＡＧＣ回路２０３ａの出力レベル変動分の値Δ（Δ＝ｂ−ａ）を図示してある。この期間ｔ２の間、同期分離部２０５は垂直同期を取ることができない。このように、アンテナを切り替えてから期間ｔ２が経過し、ＡＧＣ回路２０３ａによるＡＧＣ動作が安定するまでの間、同期分離部２０５は同期信号Ｓ４を出力できない。この期間中、ＡＧＣ回路２０３ａは、ビデオ信号Ｖout に対して白ノイズの発生要因を生成することになる。
【００２６】
（ｄ）チューナ２０３が出力するビデオ信号Ｖout の出力レベルは、ＡＧＣコントロールレベルＡＧＣ-CTLが安定した一定値に収束するまでの期間（ｔ２）に対応して期間（ｔ３）の間は、白レベル（輝度１００％）以上の値となる（図中Ｄ１で示す信号レベル）。この期間（ｔ３）、チューナ２０３が出力するビデオ信号Ｖout を仮にそのままの状態で図示しない表示部に出力すると、表示画面上に白いノイズとして表れることになる。
【００２７】
ここで、切替制御部２０６は、制御信号Ｓ２を輝度変更部２０４に出力して輝度を落とす。切替制御部２０６を通過させた後のビデオ信号Ｖout の出力レベルは、（ｄ）の点線に示す信号レベルＤ２となり、輝度が下げられる。これにより、発生した白ノイズを低減できるようになる。特に、テレビ受信機の設置環境や視聴時間等により周囲が暗い状況のとき、期間ｔ３の間、表示画面上の一部に白いノイズが表れることを防止し、この白いノイズをできるだけ輝度を落として略灰色にすることができる。表示画面上で正常に表示されている領域に対して白ノイズが表れる一部領域の輝度を落とすことができるため、この白ノイズの一部領域を目立たなくすることができるようになり、意図しない映像の表示を防止できるようになる。この白ノイズが表れる表示画面の一部領域は、垂直同期が取れていないため、表示画面上で本来の色を表示できない状態であることが多い。なお、期間ｔ３が経過後における表示画面は、垂直同期が取れ、かつ白ノイズは表れず表示画面全体で正常な本来の色合いを表示できる状態に復帰する。
【００２８】
上記説明では、ＡＧＣ回路２０３ａの出力レベル変動分の値Δに対応して制御信号Ｓ２の電圧値を増減し、また、制御信号Ｓ２の印加時間ｔを変更する構成とした。この場合、ステップＳ４０７において比較対象とする規定値ｃは、複数段階の異なる値を用意しておき、ステップＳ４０８では該当する段階の規定値ｃに対応する制御信号Ｓ２の電圧値を出力し、ステップＳ４０９では該当する段階の印加時間ｔで制御信号Ｓ２を出力する構成とすればよい。
【００２９】
これに限らず、制御信号Ｓ２の電圧値を一定とし、また、制御信号Ｓ２の印加時間ｔを固定としてもよい。この場合、ステップＳ４０７において比較対象とする規定値ｃは、単一の固定値とすればよく、ステップＳ４０８では制御信号Ｓ２として予め定めた一つの電圧値を出力し、ステップＳ４０９では、制御信号Ｓ２として予め定めた一つの印加時間ｔで制御信号Ｓ２を出力すればよい。ステップＳ４０８とステップＳ４０９の処理はいずれか一方だけを実行する構成としてもよい。このように制御処理を簡素化することもできる。
【００３０】
この実施例１の構成によれば、ＡＧＣ回路の出力レベル差に基づいてビデオ信号の輝度を低減させることができ、アンテナ切り替え時にＡＧＣ機能が働いてＡＧＣ回路の出力レベル差が大きくなったとき、表示画面の一部に表れる白ノイズを低減させることができるようになる。
【実施例２】
【００３１】
この実施例２は、図５に示したＡＧＣコントロールレベルＡＧＣ-CTLの変動状態に基づいてビデオ信号の輝度を低減させる処理例である。切替制御部２０６には、チューナ２０３からＡＧＣコントロールレベルを示す状態信号Ｓ３が入力される。図６は、実施例２の輝度変更動作を示すフローチャートである。
【００３２】
始めに切替制御部２０６は、チューナ２０３が受信した各アンテナ２０１の受信レベルを検出する（ステップＳ６０１）。そして、アンテナセレクタ２０２が選択している現状のアンテナ２０１の受信レベルに比べて受信レベルが高いアンテナ２０１があるか判断する（ステップＳ６０２）。現状より受信レベルが高いアンテナ２０１があれば（ステップＳ６０２：Ｙｅｓ）、ステップＳ６０３以下の処理を実行し、現状より受信レベルが高いアンテナがなければ（ステップＳ６０２：Ｎｏ）、以下の処理を実行せず終了する。
【００３３】
次に、検出された受信レベルが高い他のアンテナ２０１にアンテナを切り替えるダイバーシティ動作を行う（ステップＳ６０３）。同時に、このアンテナ切り替え時に図示しない一定時間のタイマを起動させる（ステップＳ６０４）。
【００３４】
次に、アンテナ切り替えで変動したＡＧＣコントロールレベルＡＧＣ-CTLの値を閾値Ｌ１と比較する（ステップＳ６０５）。図５に示したＡＧＣコントロールレベルＡＧＣ-CTLは、電圧値であり、閾値Ｌ１はオーバーシュートに至らない電圧値として予め設定することができる。そして、ＡＧＣコントロールレベルＡＧＣ-CTLの値が閾値Ｌ１より大きければ（ステップＳ６０５：Ｙｅｓ）、ＡＧＣコントロールレベルＡＧＣ-CTLがオーバーシュートしていると判断し、以下の輝度変更の処理を行う。一方、ＡＧＣコントロールレベルＡＧＣ-CTLの値が閾値Ｌ１以下であれば（ステップＳ６０５：Ｎｏ）、輝度変更の処理を実行せず終了する。
【００３５】
輝度変更の処理は、輝度変更部２０４に対して制御信号Ｓ２を出力し、輝度変更部２０４をバイアス制御し、ビデオ信号Ｖout の輝度を変更し、低減させる（ステップＳ６０７）。この後、一定時間のタイマ時間が経過した後（ステップＳ６０７）、制御信号Ｓ２の出力を停止し、輝度を元に戻す（ステップＳ６０８）。これにより、輝度変更部２０４に対するバイアス制御を停止させ、輝度変更部２０４はビデオ信号Ｖout に対する輝度変更を終了する。これにより、ビデオ信号Ｖout の輝度を元に戻すことができる。
【００３６】
上記構成では、一つの閾値Ｌ１を設ける構成としたが、閾値を複数設けて各閾値に対応してタイマ時間ｔを可変する構成にもできる。ＡＧＣコントロールレベルＡＧＣ-CTLに対応して高い電圧の閾値を超える毎に長いタイマ時間ｔを用いればよい。
【００３７】
この実施例２の構成によれば、ＡＧＣコントロールレベルの値を検出してビデオ信号の輝度を低減させることができ、アンテナ切り替え時にＡＧＣ機能が働いてＡＧＣコントロールレベルが大きく変動したとき、表示画面の一部に表れる白ノイズを低減させることができるようになる。
【実施例３】
【００３８】
この実施例３は、受信電波（ＲＦ信号）の入力レベル差に基づいてビデオ信号の輝度を低減させる処理例である。ＲＦ信号の入力レベル差は、ＡＧＣ回路２０３ａの入力レベル差と同一であると見ることができる。切替制御部２０６には、チューナ２０３が出力する受信電波の受信レベルが状態信号Ｓ３として入力される。図７は、実施例３の輝度変更動作を示すフローチャートである。
【００３９】
始めに切替制御部２０６は、チューナ２０３が受信した各アンテナ２０１の受信レベルを検出する（ステップＳ７０１）。そして、アンテナセレクタ２０２が選択している現状のアンテナ２０１の受信レベルに比べて受信レベルが高いアンテナ２０１があるか判断する（ステップＳ７０２）。現状より受信レベルが高いアンテナ２０１があれば（ステップＳ７０２：Ｙｅｓ）、ステップＳ７０３以下の処理を実行し、現状より受信レベルが高いアンテナがなければ（ステップＳ７０２：Ｎｏ）、以下の処理を実行せず終了する。
【００４０】
次に、現状選択しているアンテナ２０１を用いた受信レベルａの値を検出する（ステップＳ７０３）。そして、検出された受信レベルが高い他のアンテナ２０１にアンテナを切り替えるダイバーシティ動作を行う（ステップＳ７０４）。同時に、このアンテナ切り替え時に図示しないタイマを起動させ（ステップＳ７０５）、受信レベルｂを検出する（ステップＳ７０６）。そして、受信レベル変動分の値Δ（Δ＝ｂ−ａ）を予め設定した規定値ｃと比較する（ステップＳ７０７）。受信レベル変動分の値Δが規定値ｃより大きければ（ステップＳ７０７：Ｙｅｓ）、受信レベル変動が設定より大きいと判断し、以下の輝度変更の処理を行う。一方、受信レベル変動分の値Δが規定値ｃ以下であれば（ステップＳ７０７：Ｎｏ）、輝度変更の処理を実行せず終了する。
【００４１】
輝度変更の処理は、輝度変更部２０４に対して制御信号Ｓ２を出力し、輝度変更部２０４をバイアス制御し、ビデオ信号Ｖout の輝度を変更し、低減させる（ステップＳ７０８）。この際、実施例１同様に、受信レベル変動分の値Δの大小に対応して制御信号Ｓ２の出力状態を変更したり、制御信号Ｓ２の印加時間ｔを受信レベル変動分の値Δに対応して変更することができる（ステップＳ７０９）。そして、ステップＳ７０９におけるタイマ時間が経過した後、制御信号Ｓ２の出力を停止し、輝度を元に戻す（ステップＳ７１０）。これにより、輝度変更部２０４に対するバイアス制御を停止させ、輝度変更部２０４はビデオ信号Ｖout に対する輝度変更を終了する。これにより、ビデオ信号Ｖout の輝度を元に戻すことができる。
【００４２】
図８は、垂直同期信号と表示画面の対応を説明する図である。図に示す垂直同期信号Ｓ４は、表示画面８０１に映像を表示しない期間（垂直同期帰線期間ｔ０）内に受信状態が良好ないずれかのアンテナ２０１に切り替えるよう構成されている。しかしながら、受信レベルの変動が大きいときには、ＡＧＣ回路２０３ａが有する時定数により、ＡＧＣ回路２０３ａの出力レベルは（図５の（ｃ）参照）、この垂直同期帰線期間ｔ０を超える期間（図８中の期間ｔ４）同期を取ることができない状態となり、映像表示期間ｔ７に一部かかる。対応して表示画面８０１の一部（上部位置）に白ノイズが所定期間ｔ５だけ表れる。このように、受信レベルの変動が大きく映像信号にクランプがかからない場合、表示画面８０１の一部領域または表示域全体に現れる白ノイズの輝度を低減し、目立たなくすることができるようになる。
【００４３】
なお、表示画面８０１上の所定期間ｔ６に相当する領域は正常な色合いの画面が表示されており、白ノイズが表れる所定期間ｔ５の一部領域は画面表示の走査によって時間経過と共に下方に移動する。図８を用いて説明した表示画面８０１上での白ノイズの発生は、実施例３において説明した受信レベルの変動に限らず、実施例１におけるＡＧＣ出力レベル差、実施例２におけるＡＧＣコントロールレベルＡＧＣ-CTLのオーバーシュート、以下に説明する実施例４における垂直同期が取れない時、のそれぞれにおいて同様に発生し得る。
【００４４】
この実施例３の構成によれば、受信レベルの変動を検出してビデオ信号の輝度を低減させることができ、アンテナ切り替え時に受信レベルが変動しＡＧＣ機能が働いたとき、表示画面の一部に表れる白ノイズを低減させることができるようになる。
【実施例４】
【００４５】
この実施例４は、垂直同期が取れなくなったときビデオ信号の輝度を低減させる処理例である。切替制御部２０６には、同期分離部２０５が出力する同期信号Ｓ４が入力される。図９は、実施例４の輝度変更動作を示すフローチャートである。
【００４６】
始めに切替制御部２０６は、チューナ２０３が受信した各アンテナ２０１の受信レベルを検出する（ステップＳ９０１）。そして、アンテナセレクタ２０２が選択している現状のアンテナ２０１の受信レベルに比べて受信レベルが高いアンテナ２０１があるか判断する（ステップＳ９０２）。現状より受信レベルが高いアンテナ２０１があれば（ステップＳ９０２：Ｙｅｓ）、ステップＳ９０３以下の処理を実行し、現状より受信レベルが高いアンテナがなければ（ステップＳ９０２：Ｎｏ）、以下の処理を実行せず終了する。
【００４７】
次に、検出された受信レベルが高い他のアンテナ２０１にアンテナを切り替えるダイバーシティ動作を行う（ステップＳ９０３）。そして、垂直同期が取れたか判断する（ステップＳ９０４）。同期分離部２０５が同期を取れず、切替制御部２０６に対して同期信号Ｓ４が入力されていなければ（ステップＳ９０４：Ｎｏ）、垂直同期が取れていないと判断して以下の輝度変更の処理を行う。弱電界等の場合、いずれのアンテナ２０１を選択しても同期が取れないことがあり、映像表示期間（図８における期間ｔ７）にアンテナ切り替え動作を行うことがある。一方、同期信号Ｓ４が入力されていれば（ステップＳ９０４：Ｙｅｓ）、垂直同期が取れていると判断し、輝度変更の処理を実行せず終了する。
【００４８】
輝度変更の処理は、輝度変更部２０４に対して制御信号Ｓ２を出力し、輝度変更部２０４をバイアス制御し、ビデオ信号Ｖout の輝度を変更し、低減させる（ステップＳ９０５）。ステップＳ９０５における輝度変更の処理は、垂直同期が再び取れるまで継続される。すなわち、ステップＳ９０４に復帰して垂直同期が取れたときには（ステップＳ９０４：Ｙｅｓ）、制御信号Ｓ２の出力を停止し、輝度を元に戻す（ステップＳ９０６）。これにより、輝度変更部２０４に対するバイアス制御を停止させ、輝度変更部２０４はビデオ信号Ｖout に対する輝度変更を終了する。これにより、ビデオ信号Ｖout の輝度を元に戻すことができる。なお、現状より受信レベルが高いアンテナがないとき（ステップＳ９０２：Ｎｏ）、およびステップＳ９０４の判断時に当初から垂直同期が取れているとき（Ｓ９０４：Ｙｅｓ）、すなわち、ステップＳ９０５による輝度の未変更時には、ステップＳ９０６における処理は不実行とする。
【００４９】
この実施例４の構成によれば、映像表示の同期が取れない期間を検出してビデオ信号の輝度を低減させることができ、アンテナ切り替え時に受信レベルが変動し同期が取れなくなったときに表示画面の一部に表れる白ノイズを低減させることができるようになる。
【００５０】
以上説明した各実施例の各構成部は、電子回路素子を用いたハードウェア構成としたとき、上記ＡＧＣ回路２０３ａの出力レベルａ，ｂは、図示しないカウンタ等のデータ格納部に一時保存する構成にできる。このようなハードウェア構成に限らず、プロセッサをプログラム実行して構成することもできる。この場合、切替制御部２０６に対する各種信号の入力部にＡ／Ｄ変換器を設け、出力部にＤ／Ａ変換器を設けてプロセッサがデジタル処理を行い制御信号を出力する構成とすればよい。この場合、データ格納部は、上述したハードウェア構成において説明したカウンタに代えてデータを一時格納するメモリを用いて構成できる。
【００５１】
また、上記の実施の形態では、基本的にアンテナ切り替えを垂直同期帰線期間内に行い、ＡＧＣ回路２０３ａのＡＧＣ動作が収束するまでの期間において表示画面上に表れる白ノイズを低減させる構成例について説明した。これに限らず、画面表示されている期間内にアンテナを切り替える構成としたときにも、このアンテナ切り替えにより生じる白ノイズの輝度を低減させることができる。
【００５２】
以上説明した実施の形態によれば、アンテナ切り替え時に表示画面上に生じるノイズを低減させてノイズを目立たなくできるという効果を奏する。特に、このノイズが発生した期間に対応して該当する表示領域の輝度を低減させる構成であるため、正常に色合い等が表示されている表示領域の表示内容を残しつつ、ノイズが発生している領域のみこのノイズを目立たなくできるという効果を奏する。
【００５３】
このテレビ受信機は、地上波放送や通信に用いられる分野に適用でき、このテレビ受信機を組み込んだナビゲーション装置等、他の複合機能を有する装置にも適用できる。そして、受信状態が変化しやすい車載（車両、列車、船舶等）用のテレビ受信機として安定した画面表示が行えるものである。
【図面の簡単な説明】
【００５４】
【図１】従来技術のテレビ受信機を示すブロック図である。
【図２】実施の形態におけるテレビ受信機の全体構成を示すブロック図である。
【図３】輝度変更部の一例を示す回路図である。
【図４】実施例１の輝度変更動作を示すフローチャートである。
【図５】テレビ受信機各部の信号状態を示すタイミングチャートである。
【図６】実施例２の輝度変更動作を示すフローチャートである。
【図７】実施例３の輝度変更動作を示すフローチャートである。
【図８】垂直同期信号と表示画面の対応を説明する図である。
【図９】実施例４の輝度変更動作を示すフローチャートである。
【符号の説明】
【００５５】
２００  テレビ受信機
２０１（２０１ａ〜２０１ｄ）  アンテナ
２０２  アンテナセレクタ
２０３  チューナ
２０３ａ  ＡＧＣ回路
２０４  輝度変更部
２０５  同期分離部
２０６  切替制御部
【図１】
2005236816.tif 000003
【図２】
2005236816.tif 000004
【図３】
2005236816.tif 000005
【図４】
2005236816.tif 000006
【図５】
2005236816.tif 000007
【図６】
2005236816.tif 000008
【図７】
2005236816.tif 000009
【図８】
2005236816.tif 000010
【図９】
2005236816.tif 000011